(57)【要約】      （修正有）【課題】液体の利用効率を向上させる液体収容容器を提供する。【解決手段】インクパック８１と、インクパック８１を包むケース７１と、を有し、ケース７１は、内側に、インクパック８１の端部８５ｂが、インクパック８１におけるインクの収容部から屈曲した状態で、端部８５ｂが挿入される第１溝１２７と、インクパック８１の第１溝１２７側とは反対側で第１溝１２７に対面する面１４３と、インクパック８１の端部８５ｂ側とは反対側の端部８５ｃが、インクの収容部から屈曲した状態で、挿入される第２溝１３３と、インクパック８１の第２溝１３３側とは反対側で第２溝１３３に対面する面１４７と、を有しており、第１溝１２７の開口と面１４３との間の隙間量Ｃ１が、第２溝１３３の開口と面１４７との間の隙間量Ｃ２よりも広くする。【選択図】図１４
2014083758.tif 000002
【特許請求の範囲】
【請求項１】
液体を収容する収容袋と、  前記収容袋を前記収容袋の外側から包むケースと、を有し、  前記ケースは、内側に、  前記収容袋の周縁のうちの一部である第１縁部が、前記収容袋において前記液体を収容する部位である収容部から屈曲した状態で、前記第１縁部が挿入される第１溝と、  前記収容袋の前記第１溝側とは反対側で前記第１溝に対面する面である第１面と、  前記周縁の前記第１縁部とは異なる他の一部であり、前記収容部の前記第１縁部側とは反対側の第２縁部が、前記第２縁部が前記収容部から屈曲した状態で、挿入される第２溝と、  前記収容袋の前記第２溝側とは反対側で前記第２溝に対面する面である第２面と、を有しており、  前記第１溝の開口と前記第１面との間の隙間が、前記第２溝の開口と前記第２面との間の隙間よりも広い、  ことを特徴とする液体収容容器。
【請求項２】
前記ケースは、  前記収容袋の前記第１溝側とは反対側で前記第１溝の開口に対面する第１内壁と、  前記第１内壁のうち、前記第１溝に対面する領域を含む一部の領域に設けられ、前記第１内壁から前記第１溝の開口に向かって突出する第１突出部と、  前記収容袋の前記第２溝側とは反対側で前記第２溝の開口に対面する第２内壁と、  前記第２内壁のうち、前記第２溝に対面する領域を含む一部の領域に設けられ、前記第２内壁から前記第２溝の開口に向かって突出する第２突出部と、  を有しており、  前記第１面が、前記第１突出部において、前記第１溝に対面する面を構成し、  前記第２面が、前記第２突出部において、前記第２溝に対面する面を構成している、  ことを特徴とする請求項１に記載の液体収容容器。
【請求項３】
前記第１内壁から前記第１突出部の前記第１面までの間の距離が、前記第２内壁から前記第２突出部の前記第２面までの間の距離よりも短い、  ことを特徴とする請求項２に記載の液体収容容器。
【請求項４】
前記第１突出部が前記第１内壁から前記第１溝の開口に向かって突出する方向とは交差する方向において、  前記第１突出部から前記第２溝の前記第１突出部側の端部までの距離が、前記第２突出部から前記第１溝の前記第２突出部側の端部までの距離よりも長い、  ことを特徴とする請求項２又は３に記載の液体収容容器。
【請求項５】
前記ケースには、  前記収容袋の周縁のうちの前記第１縁部と前記第２縁部とは異なる他の一部であり、前記第１縁部と前記第２縁部とを結ぶ方向とは交差する方向に位置する第３縁部に重なる領域に、  前記ケースの内壁から突出し、前記第３縁部を規制する規制部材が設けられている、  ことを特徴とする請求項１乃至４のいずれか一項に記載の液体収容容器。
【請求項６】
前記第３縁部と前記規制部材との間に隙間が設けられている、  ことを特徴とする請求項５に記載の液体収容容器。
【請求項７】
前記第３縁部を挟んで互いに対峙するそれぞれの領域に、前記規制部材が設けられている、  ことを特徴とする請求項５又は６に記載の液体収容容器。
【請求項８】
前記第３縁部を挟む前記規制部材が、互いに対面している、  ことを特徴とする請求項７に記載の液体収容容器。
【請求項９】
前記規制部材は、前記第３縁部よりも外側に延びている、  ことを特徴とする請求項５乃至８のいずれか一項に記載の液体収容容器。
【請求項１０】
前記規制部材の前記収容部側とは反対側の端部が曲面で構成されている、  ことを特徴とする請求項５乃至９のいずれか一項に記載の液体収容容器。
【請求項１１】
前記規制部材の前記収容部側の端部に、前記収容部に重なり、且つ、前記ケースの内壁に向かって傾斜する傾斜面が設けられている、  ことを特徴とする請求項５乃至１０のいずれか一項に記載の液体収容容器。
【請求項１２】
前記規制部材の少なくとも一部は、前記ケースの外側から内側に向かって凹となる凹部によって構成されている、  ことを特徴とする請求項５乃至１１のいずれか一項に記載の液体収容容器。
【発明の詳細な説明】
【技術分野】
【０００１】
本発明は、液体収容容器等に関する。
【背景技術】
【０００２】
液体を収容する容器である液体収容容器の１つとして、インクジェット記録装置に適用されるインクカートリッジがある。このようなインクカートリッジには、可撓性を有するシート材などで構成された袋状のパック内にインクを封入した上で、そのパックを、合成樹脂などで構成されるケースに収容したものがある。  このようなインクカートリッジとしては、従来、パックの縁部を２つのケースで挟持したものが知られている（例えば、特許文献１参照）。
【先行技術文献】
【特許文献】
【０００３】
【特許文献１】特開２００７−８３６７７号公報
【発明の概要】
【発明が解決しようとする課題】
【０００４】
上記特許文献１に記載されたインクカートリッジでは、パックが２つのケースによって挟持されているので、パックの縁部が拘束される。  ここで、インクが封入されたパックは、パック内のインクが消費されるのにともなって、パックの膨らみが収縮していく。パックの膨らみが収縮すると、パックはシート状に延伸していく。  このとき、パックの縁部が拘束されていると、パックの延伸が拘束されるので、パックにしわや屈曲などが発生しやすい。パックにしわや屈曲などが発生すると、しわや屈曲などによってパック内のインクの流動が阻害されやすいので、パック内のインクが排出さにくくなる。このため、パックにしわや屈曲などが発生すると、パック内にインクが残留しやすい。よって、特許文献１に記載されたインクカートリッジでは、パック内にインクが残留しやすい。  このように、従来の液体収容容器では、液体の利用効率を向上させることが困難であるという課題がある。
【課題を解決するための手段】
【０００５】
本発明は、上述の課題の少なくとも一部を解決するためになされたものであり、以下の形態又は適用例として実現され得る。  
【０００６】
［適用例１］液体を収容する収容袋と、前記収容袋を前記収容袋の外側から包むケースと、を有し、前記ケースは、内側に、前記収容袋の周縁のうちの一部である第１縁部が、前記収容袋において前記液体を収容する部位である収容部から屈曲した状態で、前記第１縁部が挿入される第１溝と、前記収容袋の前記第１溝側とは反対側で前記第１溝に対面する面である第１面と、前記周縁の前記第１縁部とは異なる他の一部であり、前記収容部の前記第１縁部側とは反対側の第２縁部が、前記第２縁部が前記収容部から屈曲した状態で、挿入される第２溝と、前記収容袋の前記第２溝側とは反対側で前記第２溝に対面する面である第２面と、を有しており、前記第１溝の開口と前記第１面との間の隙間が、前記第２溝の開口と前記第２面との間の隙間よりも広い、ことを特徴とする液体収容容器。  
【０００７】
この適用例の液体収容容器は、収容袋を包むケースが、第１溝と、第１面と、第２溝と、第２面と、を有している。第１溝には、収容袋の第１縁部が挿入される。第２溝には、収容袋の第２縁部が挿入される。第１縁部と第２縁部とは、液体を収容する部位である収容部を挟んで互いに反対側に位置する。第１縁部は、収容部から屈曲した状態で第１溝に挿入される。第２縁部は、収容部から屈曲した状態で第２溝に挿入される。このため、第１縁部と第２縁部とを結ぶ方向を重力の方向に合わせても、屈曲した部位によって収容袋が保持されやすい。第１縁部の屈曲の向きと、第２縁部の屈曲の向きとは、互いに同じ向きでも、互いに異なる向きでもよい。この液体収容容器では、第１溝の開口と第１面との間の隙間が、第２溝の開口と第２面との間の隙間よりも広い。これにより、収容袋を第１面から遠ざけやすいので、収容袋と第１面との間の干渉を避けやすい。このため、鉛直方向で、第１縁部の位置が第２縁部の位置よりも高い状態において、液体の消費にともなって収容袋の収容部の膨らみが収縮して収容袋が延伸したときに、第１縁部が第１溝内に進入しやすい。このとき、第２縁部側では、収容袋が第２面によって規制されやすいので、第２縁部が第２溝内に進入しやすい。このため、液体の消費の過程で収容部にしわなどが発生することを抑えやすくすることができる。この結果、収容部内に液体を残留させにくくすることができる。よって、この液体収容容器では、液体の利用効率を高めやすくすることができる。  
【０００８】
［適用例２］上記の液体収容容器であって、前記ケースは、前記収容袋の前記第１溝側とは反対側で前記第１溝の開口に対面する第１内壁と、前記第１内壁のうち、前記第１溝に対面する領域を含む一部の領域に設けられ、前記第１内壁から前記第１溝の開口に向かって突出する第１突出部と、前記収容袋の前記第２溝側とは反対側で前記第２溝の開口に対面する第２内壁と、前記第２内壁のうち、前記第２溝に対面する領域を含む一部の領域に設けられ、前記第２内壁から前記第２溝の開口に向かって突出する第２突出部と、を有しており、前記第１面が、前記第１突出部において、前記第１溝に対面する面を構成し、前記第２面が、前記第２突出部において、前記第２溝に対面する面を構成している、ことを特徴とする液体収容容器。  
【０００９】
この適用例では、第１面と第１内壁との間に段差が構成され、第２面と第２内壁との間にも段差が構成される。この段差によってケース内の空間を広げやすくすることができるので、収容袋を収容する容積を増大させやすくすることができる。  
【００１０】
［適用例３］上記の液体収容容器であって、前記第１内壁から前記第１突出部の前記第１面までの間の距離が、前記第２内壁から前記第２突出部の前記第２面までの間の距離よりも短い、ことを特徴とする液体収容容器。  
【００１１】
この適用例では、第１溝の開口と第１面との間の隙間を、第２溝の開口と第２面との間の隙間よりも広くすることができる。  
【００１２】
［適用例４］上記の液体収容容器であって、前記第１突出部が前記第１内壁から前記第１溝の開口に向かって突出する方向とは交差する方向において、前記第１突出部から前記第２溝の前記第１突出部側の端部までの距離が、前記第２突出部から前記第１溝の前記第２突出部側の端部までの距離よりも長い、ことを特徴とする液体収容容器。  
【００１３】
この適用例では、収容袋と第１突出部との間の隙間を、収容袋と第２突出部との間の隙間よりも広げやすくすることができる。これにより、第１突出部を収容袋から遠ざけやすいので、第１突出部と収容袋との間の干渉を避けやすい。このため、第１縁部が第１溝内に進入しやすいので、液体の消費の過程で収容部にしわなどが発生することを一層抑えやすくすることができる。  
【００１４】
［適用例５］上記の液体収容容器であって、前記ケースには、前記収容袋の周縁のうちの前記第１縁部と前記第２縁部とは異なる他の一部であり、前記第１縁部と前記第２縁部とを結ぶ方向とは交差する方向に位置する第３縁部に重なる領域に、前記ケースの内壁から突出し、前記第３縁部を規制する規制部材が設けられている、ことを特徴とする液体収容容器。  
【００１５】
この適用例では、ケースに規制部材が設けられている。規制部材は、収容袋の第３縁部を規制する。この規制部材により、第３縁部が規制されるので、液体の消費の過程で収容部にしわなどが発生することを一層抑えやすくすることができる。  
【００１６】
［適用例６］上記の液体収容容器であって、前記第３縁部と前記規制部材との間に隙間が設けられている、ことを特徴とする液体収容容器。  
【００１７】
この適用例では、第３縁部と規制部材との間に隙間が設けられているので、第３縁部が規制部材によって拘束されない。このため、液体の消費にともなって収容袋の収容部の膨らみが収縮して収容袋が延伸したときに、収容袋の延伸が阻害されない。これにより、液体の消費の過程で収容部にしわなどが発生することを一層抑えやすくすることができる。  
【００１８】
［適用例７］上記の液体収容容器であって、前記第３縁部を挟んで互いに対峙するそれぞれの領域に、前記規制部材が設けられている、ことを特徴とする液体収容容器。  
【００１９】
この適用例では、第３縁部を挟んで互いに対峙するそれぞれの領域に、規制部材が設けられているので、第３縁部を挟んで互いに対峙するそれぞれの領域から第３縁部を規制することができる。  
【００２０】
［適用例８］上記の液体収容容器であって、前記第３縁部を挟む前記規制部材が、互いに対面している、ことを特徴とする液体収容容器。  
【００２１】
この適用例では、第３縁部を挟む規制部材が互いに対面しているので、第３縁部を挟む規制部材が互い違いにずれている場合に比較して、第３縁部を第３縁部の両側から均等に規制することができる。  
【００２２】
［適用例９］上記の液体収容容器であって、前記規制部材は、前記第３縁部よりも外側に延びている、ことを特徴とする液体収容容器。  
【００２３】
この適用例では、規制部材が第３縁部よりも外側に延びているので、第１縁部と第２縁部とを結ぶ方向とは交差する方向において、第３縁部にわたって、第３縁部を規制することができる。  
【００２４】
［適用例１０］上記の液体収容容器であって、前記規制部材の前記収容部側とは反対側の端部が曲面で構成されている、ことを特徴とする液体収容容器。  
【００２５】
この適用例では、規制部材の収容部側とは反対側の端部が曲面で構成されているので、第３縁部が規制部材に接触しても、第３縁部に損傷を与えにくくすることができる。  
【００２６】
［適用例１１］上記の液体収容容器であって、前記規制部材の前記収容部側の端部に、前記収容部に重なり、且つ、前記ケースの内壁に向かって傾斜する傾斜面が設けられている、ことを特徴とする液体収容容器。  
【００２７】
この適用例では、傾斜面で収容部を支えやすくすることができる。これにより、例えば、ケースに衝撃が加わったときに、ケース内で収容袋に損傷が発生することを避けやすくすることができる。  
【００２８】
［適用例１２］上記の液体収容容器であって、前記規制部材の少なくとも一部は、前記ケースの外側から内側に向かって凹となる凹部によって構成されている、ことを特徴とする液体収容容器。  
【００２９】
この適用例では、規制部材の少なくとも一部は、ケースの外側から内側に向かって凹となる凹部によって構成される。この凹部は、ケースの内側において、第３縁部に向かって凸となる。この凸によって第３縁部を規制することができる。また、この液体収容容器では、ケースに凹部が設けられるので、この凹部を、例えば、手で把持する場合の把持部として利用することができる。
【図面の簡単な説明】
【００３０】
【図１】本実施形態におけるインクジェット記録装置の主要構成を示す斜視図。
【図２】本実施形態における記録ヘッドを示す底面図。
【図３】本実施形態におけるカートリッジを示す斜視図。
【図４】本実施形態におけるカートリッジを示す分解斜視図。
【図５】本実施形態におけるケースと蓋とを示す分解斜視図。
【図６】本実施形態における蓋を説明する斜視図。
【図７】図３中のＡ−Ａ線における断面図。
【図８】図７中のＢ−Ｂ線における断面図。
【図９】本実施形態における第１ケースを示す斜視図。
【図１０】本実施形態における第２ケースを示す斜視図。
【図１１】本実施形態におけるケースの開口部を示す図。
【図１２】本実施形態における第１ケースの内側を示す平面図。
【図１３】本実施形態における第２ケースの内側を示す平面図。
【図１４】図３中のＣ−Ｃ線における断面図。
【図１５】図３中のＤ−Ｄ線における断面図。
【図１６】本実施形態におけるインクパックの膨らみの収縮を説明する図。
【図１７】本実施形態におけるインクパックの膨らみの収縮を説明する図。
【図１８】図１３中のＥ−Ｅ線における断面図。
【図１９】本実施形態におけるケースの他の例を説明する図。
【発明を実施するための形態】
【００３１】
液体噴射装置の１つであるインクジェット記録装置を例に、実施形態について、図面を参照しながら説明する。なお、各図面において、それぞれの構成を認識可能な程度の大きさにするために、構成や部材の縮尺が異なっていることがある。  本実施形態におけるインクジェット記録装置１は、図１に示すように、搬送装置３と、記録部５と、移動装置７と、インク供給部９と、制御部１１と、を有している。  搬送装置３は、記録用紙などの記録媒体Ｐを、図中の副走査方向に間欠的に搬送する。記録部５は、搬送装置３で搬送される記録媒体Ｐにインクで記録を行う。移動装置７は、記録部５を、図中の主走査方向に往復移動させる。インク供給部９は、記録部５にインクを供給する。制御部１１は、上記の各構成の駆動を制御する。  なお、図１には、理解を容易にするため、相互に直交するＸ軸、Ｙ軸及びＺ軸が図示されている。これ以降に示す図についても必要に応じて相互に直交するＸＹＺ軸が付されている。そして、図１のＸＹＺ軸は、他の図のＸＹＺ軸に対応する。本実施形態では、主走査方向がＸ軸方向に対応し、副走査方向がＹ軸方向に対応している。  
【００３２】
搬送装置３は、図１に示すように、駆動ローラー１２ａと、従動ローラー１２ｂと、搬送モーター１３と、を有している。駆動ローラー１２ａ及び従動ローラー１２ｂは、互いに外周を接し合って回転可能に構成されている。搬送モーター１３は、駆動ローラー１２ａを回転駆動するための動力を発生する。搬送モーター１３からの動力は、伝動機構を介して駆動ローラー１２ａに伝達される。そして、駆動ローラー１２ａと従動ローラー１２ｂとの間に挟持した記録媒体Ｐを副走査方向に間欠的に搬送する。  記録部５は、４つの中継ユニット１５と、キャリッジ１７と、記録ヘッド１９と、を備えている。  中継ユニット１５は、インク供給部９から供給されたインクを記録ヘッド１９に中継する。  記録ヘッド１９は、インクをインク滴として吐出して、記録媒体Ｐに記録を行う。  キャリッジ１７は、４つの中継ユニット１５と、記録ヘッド１９とを搭載している。  
【００３３】
ここで、記録ヘッド１９について詳細を説明する。  記録ヘッド１９は、底面図である図２に示すように、ノズル面２１を有している。ノズル面２１には、インク滴を吐出する複数のノズル２３が形成されている。なお、図２では、ノズル２３をわかりやすく示すため、ノズル２３が誇張され、且つノズル２３の個数が減じられている。  記録ヘッド１９において、複数のノズル２３は、副走査方向に沿って配列する８本のノズル列２５を構成している。８本のノズル列２５は、主走査方向に互いに隙間をあけた状態で並んでいる。各ノズル列２５において、複数のノズル２３は、副走査方向に沿って所定のノズル間隔Ｌで形成されている。  以下において、８本のノズル列２５のそれぞれが識別される場合に、ノズル列２５ａ、ノズル列２５ｂ、ノズル列２５ｃ、ノズル列２５ｄ、ノズル列２５ｅ、ノズル列２５ｆ、ノズル列２５ｇ、及びノズル列２５ｈという表記が用いられる。  
【００３４】
記録ヘッド１９において、ノズル列２５ａとノズル列２５ｂとは、互いに副走査方向にＬ／２の距離だけずれている。ノズル列２５ｃ及びノズル列２５ｄも、互いに副走査方向にＬ／２の距離だけずれている。同様に、ノズル列２５ｅ及びノズル列２５ｆも、互いに副走査方向にＬ／２の距離だけずれており、ノズル列２５ｇ及びノズル列２５ｈも、互いに副走査方向にＬ／２の距離だけずれている。  記録ヘッド１９において、８本のノズル列２５は、インクの種類ごとに区分されている。本実施形態では、ノズル列２５ａ及びノズル列２５ｂに属するノズル２３は、ブラック（Ｋ）のインクをインク滴として吐出する。ノズル列２５ｃ及びノズル列２５ｄに属するノズル２３は、シアン（Ｃ）のインクをインク滴として吐出する。ノズル列２５ｅ及びノズル列２５ｆに属するノズル２３は、マゼンタ（Ｍ）のインクをインク滴として吐出する。ノズル列２５ｇ及びノズル列２５ｈに属するノズル２３は、イエロー（Ｙ）のインクをインク滴として吐出する。  なお、記録ヘッド１９は、図１に示すように、フレキシブルケーブルを介して制御部１１に接続されている。記録ヘッド１９からのインク滴の吐出は、制御部１１によって制御される。  
【００３５】
移動装置７は、図１に示すように、タイミングベルト４３と、キャリッジモーター４５と、ガイド軸４７と、を備えている。  タイミングベルト４３は、一対のプーリー４１ａ及びプーリー４１ｂ間に張設されている。一対のプーリー４１ａ及びプーリー４１ｂは、主走査方向に沿って並べられている。このため、タイミングベルト４３は、主走査方向に沿って張設されている。  キャリッジモーター４５は、プーリー４１ａを回転駆動するための動力を発生する。  ガイド軸４７は、主走査方向に延在している。ガイド軸４７は、両端が図示しない筐体に支持されており、キャリッジ１７を主走査方向にガイドする。  キャリッジ１７は、タイミングベルト４３の一部に固定されている。キャリッジ１７には、キャリッジモーター４５からプーリー４１ａ及びタイミングベルト４３を介して動力が伝達される。そして、キャリッジ１７は、伝達された動力によって、主走査方向に往復移動可能に構成されている。  
【００３６】
インク供給部９は、図１に示すように、４つのカートリッジ５１と、ホルダー５３と、ポンプユニット５５と、を有している。  ホルダー５３は、４つのカートリッジ５１を保持する。４つのカートリッジ５１は、ホルダー５３に対して着脱可能に構成されている。各カートリッジ５１には、インクが収容されている。インクは、可撓性を有するシートで構成されたインクパックに密封された状態で、カートリッジ５１内に収容されている。インクジェット記録装置１では、インクパック内のインクが消費されると、新たなカートリッジ５１に交換される。  
【００３７】
４つのカートリッジ５１には、相互に異なる種類のインクが収容されている。本実施形態では、イエロー（Ｙ）、マゼンタ（Ｍ）、シアン（Ｃ）及びブラック（Ｋ）のインクが、それぞれ異なるカートリッジ５１に収容されている。  カートリッジ５１Ｙには、イエローのインクを密封したインクパックが収容されている。同様に、カートリッジ５１Ｍには、マゼンタのインクを密封したインクパックが収容され、カートリッジ５１Ｃには、シアンのインクを密封したインクパックが収容され、カートリッジ５１Ｋには、ブラックのインクを密封したインクパックが収容されている。  ここで、各カートリッジ５１内のインクパックには、インク供給チューブ６１が接続される。インク供給チューブ６１は、カートリッジ５１側とは反対側において、記録部５の中継ユニット１５に接続されている。  ポンプユニット５５は、ホルダー５３に装着されたカートリッジ５１内のインクを汲み上げる。そして、ポンプユニット５５は、カートリッジ５１から汲み上げたインクを、インクチューブを介して中継ユニット１５に送り込む。これにより、カートリッジ５１内のインクが中継ユニット１５に供給される。  
【００３８】
中継ユニット１５ａに供給されるインクは、記録ヘッド１９において、中継ユニット１５ａから、図２に示すノズル列２５ａ及びノズル列２５ｂに属するノズル２３に供給される。中継ユニット１５ｂに供給されるインクは、中継ユニット１５ｂから、ノズル列２５ｃ及びノズル列２５ｄに属するノズル２３に供給される。同様に、中継ユニット１５ｃに供給されるインクは、中継ユニット１５ｃから、ノズル列２５ｅ及びノズル列２５ｆに属するノズル２３に供給される。中継ユニット１５ｄに供給されるインクは、中継ユニット１５ｄから、ノズル列２５ｇ及びノズル列２５ｈに属するノズル２３に供給される。  上記の構成を有するインクジェット記録装置１では、搬送モーター１３の駆動が制御部１１によって制御され、搬送装置３が記録媒体Ｐを記録ヘッド１９に対向させながら、副走査方向に間欠的に搬送する。このとき、制御部１１は、キャリッジモーター４５の駆動を制御して、キャリッジ１７を主走査方向に往復移動させながら、記録ヘッド１９の駆動を制御して、所定の位置でインク滴を吐出させる。このような動作によって、記録媒体Ｐにドットが形成され、この記録媒体Ｐに画像データなどの記録情報に基づく記録が行われる。  
【００３９】
カートリッジ５１は、図３に示すように、ケース７１と、蓋７３と、基板７５と、を有している。ケース７１には、取っ手部７７と、レール部７９とが設けられている。利用者は、ホルダー５３（図１）に対してカートリッジ５１を着脱するときに、取っ手部７７を握ってカートリッジ５１を把持することができる。ホルダー５３にカートリッジ５１が装着されるとき、カートリッジ５１の蓋７３からホルダー５３に挿入される。このとき、カートリッジ５１のレール部７９がホルダー５３の図示しない案内溝に挿入されることによって、カートリッジ５１がホルダー５３内をＹ軸方向に沿って案内される。  
【００４０】
基板７５は、蓋７３に設けられている。基板７５には、複数の端子が設けられている。基板７５の裏側には、基板の端子に電気的に接続された記憶装置が設けられている。記憶装置には、例えば、カートリッジ５１に収容されたインクに関する情報などが記録されている。  ホルダー５３（図１）内には、図示しない接点機構が設けられている。ホルダー５３内の接点機構は、制御部１１に電気的に接続されている。カートリッジ５１がホルダー５３に装着されると、基板７５の複数の端子がホルダー５３内の接点機構に当接する。これにより、基板７５に設けられた記憶装置と制御部１１との間で情報の授受が可能となる。  
【００４１】
また、カートリッジ５１は、図４に示すように、インクパック８１と、流路ユニット８３と、を有している。ケース７１は、第１ケース７１ａと、第２ケース７１ｂと、を有している。第１ケース７１ａ及び第２ケース７１ｂを、ケース７１として組み立てると、ケース７１内に空間が形成される。インクパック８１は、ケース７１内の空間に収容される。  インクパック８１は、シート８１ａと、シート８１ｂと、を有している。シート８１ａとシート８１ｂとは、互いに重ねられた状態で、周縁領域８５で互いに溶着されている。これにより、インクパック８１は、袋状の形態を有している。インクパック８１の内部に、インクが収容される。以下において、周縁領域８５のうち、インクパック８１のＹ軸方向における端部を周縁領域８５の他の部位から識別する場合に、インクパック８１のＹ軸方向における端部は、端部８５ａと表記される。また、周縁領域８５のうち、Ｚ軸方向の上方における端部を周縁領域８５の他の部位から識別する場合に、Ｚ軸方向の上方における端部は、端部８５ｂと表記される。同様に、周縁領域８５のうち、Ｚ軸方向の下方における端部を周縁領域８５の他の部位から識別する場合に、Ｚ軸方向の下方における端部
は、端部８５ｃと表記される。この場合、端部８５ｂと端部８５ｃとをＺ軸方向に結ぶ方向とは交差する方向であるＹ方向に端部８５ａが位置している。  
【００４２】
シート８１ａ及びシート８１ｂの材料としては、それぞれ、例えば、ポリエチレンテレフタレート（ＰＥＴ）、ナイロン、ポリエチレンなどが採用され得る。また、これらの材料で構成されたフィルムを積層した積層構造も採用され得る。このような積層構造では、例えば、外層を耐衝撃性に優れたＰＥＴやナイロンとし、内層を耐インク性に優れたポリエチレンとすることができる。さらに、アルミニウムなどを蒸着した層を有するフィルムなども採用され得る。これにより、ガスバリア性を高めることができる。  
【００４３】
流路ユニット８３は、周縁領域８５において、シート８１ａとシート８１ｂとによって挟持されている。周縁領域８５において、流路ユニット８３とシート８１ａとは、互いに溶着されている。同様に、周縁領域８５において、流路ユニット８３とシート８１ｂとが、互いに溶着されている。  流路ユニット８３には、供給管８７が設けられている。供給管８７を介して、インクパック８１の内部と外部とが連通する。カートリッジ５１がホルダー５３に装着される前の状態において、供給管８７は、封止フィルム８９によって塞がれている。これにより、インクパック８１の内部は、密封状態が保たれる。供給管８７は、蓋７３に設けられた開口部９１を介して露呈している。  
【００４４】
また、蓋７３には、凹部９３が設けられている。基板７５は、凹部９３内に設けられる。さらに、蓋７３には、複数の爪９５が設けられている。本実施形態では、図５に示すように、蓋７３に４つの爪９５が設けられている。第１ケース７１ａ及び第２ケース７１ｂには、それぞれ、４つの爪９５のそれぞれに対応する部位に開口部９１が設けられている。第１ケース７１ａ及び第２ケース７１ｂをケース７１として組み立てた上で、ケース７１に蓋７３を施すと、４つの爪９５は、それぞれ、対応する開口部９１内に挿入される。これにより、蓋７３をケース７１に施すときに、４つの爪９５がそれぞれ開口部９１内に案内されるので、蓋７３をケース７１に取り付けやすくなる。また、４つの爪９５がそれぞれ開口部９１内に挿入されているので、例えば、カートリッジ５１に衝撃が加わったときなどに、蓋７３がケース７１から外れにくくすることができる。  
【００４５】
また、蓋７３には、図６（ａ）に示すように、蓋７３の内壁９７のうちの第１内壁９７ａに、２つのフック９９が設けられている。第１内壁９７ａに対面する第２内壁９７ｂにも、図６（ｂ）に示すように、２つのフック９９が設けられている。  以下において、４つのフック９９のそれぞれを識別する場合に、４つのフック９９は、それぞれ、フック９９ａ、フック９９ｂ、フック９９ｃ、及びフック９９ｄと表記される。フック９９ａ及びフック９９ｂが、第１内壁９７ａに設けられている。フック９９ｃ及びフック９９ｄが、第２内壁９７ｂに設けられている。  
【００４６】
第１ケース７１ａ及び第２ケース７１ｂには、それぞれ、図３中のＡ−Ａ線における断面図である図７に示すように、４つのフック９９のそれぞれに対応する部位に固定爪１０１が設けられている。以下において、４つの固定爪１０１のそれぞれを識別する場合に、４つの固定爪１０１は、それぞれ、固定爪１０１ａ、固定爪１０１ｂ、固定爪１０１ｃ、及び固定爪１０１ｄと表記される。固定爪１０１ａがフック９９ａに対応し、固定爪１０１ｂがフック９９ｂに対応し、固定爪１０１ｃがフック９９ｃに対応し、固定爪１０１ｄがフック９９ｄに対応している。ケース７１に蓋７３を取り付けると、４つのフック９９のそれぞれと、４つの固定爪１０１のそれぞれとが互いにかみ合うことによって、ケース７１と蓋７３とが互いに結合する。  
【００４７】
４つの固定爪１０１は、図７中のＢ−Ｂ線における断面図である図８に示すように、それぞれ、ケース７１の外壁１０３から鉤状（フック状）に突出して設けられている。固定爪１０１ａ及び固定爪１０１ｂは、それぞれ、ケース７１の外壁１０３のうち第１ケース７１ａの外壁１０３ａから、鉤状に突出している。固定爪１０１ｃ及び固定爪１０１ｄは、それぞれ、ケース７１の外壁１０３のうち第２ケース７１ｂの外壁１０３ｂから、鉤状に突出している。  ４つのフック９９は、図６（ａ）及び図６（ｂ）に示すように、それぞれ、蓋７３の内壁９７から鉤状に突出して設けられている。フック９９ａ及びフック９９ｂは、それぞれ、蓋７３の第１内壁９７ａから鉤状に突出している。同様に、フック９９ｃ及びフック９９ｄは、それぞれ、蓋７３の第２内壁９７ｂから鉤状に突出している。  本実施形態では、上記の構成により、４つのフック９９のそれぞれと、４つの固定爪１０１のそれぞれとが、互いに鉤状にかみ合う。  
【００４８】
上記の構成を有するカートリッジ５１は、図１に示すように、ホルダー５３に対してＹ軸方向に沿って挿入される。ホルダー５３（図１）内には、図示しない中空針が設けられている。ホルダー５３内の中空針は、インク供給チューブ６１に連通している。カートリッジ５１がホルダー５３に装着されると、ホルダー５３内の中空針が流路ユニット８３（図４）の供給管８７に挿入される。供給管８７に挿入された中空針によって、封止フィルム８９が破られて、中空針を介してインクパック８１の内部と外部との間が連通する。これにより、インクパック８１内とインク供給チューブ６１（図１）との間が連通し、インクパック８１内のインクがインク供給チューブ６１に供給され得る。  
【００４９】
ケース７１について詳細を説明する。  第１ケース７１ａは、図９に示すように、側板部１０７ａと、側板部１０７ｂと、側板部１０７ｃと、側板部１０７ｄと、を有している。側板部１０７ａは、インクパック８１を覆う大きさを有している。側板部１０７ｂは、側板部１０７ａのＺ軸方向における一端側に設けられている。側板部１０７ｂは、側板部１０７ａからＸ軸方向に突出している。側板部１０７ｃは、側板部１０７ａのＺ軸方向における他端側に設けられている。側板部１０７ｃは、側板部１０７ａからＸ軸方向に突出している。側板部１０７ｄは、側板部１０７ａのＹ軸方向における一端側に設けられている。側板部１０７ｄは、側板部１０７ａからＸ軸方向に突出している。  
【００５０】
側板部１０７ａから側板部１０７ｂが突出する向きは、カートリッジ５１の状態においてインクパック８１側となる。同様に、側板部１０７ａから側板部１０７ｃが突出する向きは、カートリッジ５１の状態においてインクパック８１側となる。側板部１０７ａから側板部１０７ｄが突出する向きも、カートリッジ５１の状態においてインクパック８１側となる。側板部１０７ｂと側板部１０７ｃとは、側板部１０７ａを挟んで互いに対面している。また、側板部１０７ｄは、側板部１０７ｂ及び側板部１０７ｃのそれぞれに対して交差している。なお、側板部１０７ａの側板部１０７ｄ側とは反対側の他端には、開口部１１１ａが設けられている。  上記の構成により、第１ケース７１ａは、凹状の形態を呈している。  
【００５１】
第２ケース７１ｂは、図１０に示すように、側板部１０９ａと、側板部１０９ｂと、側板部１０９ｃと、側板部１０９ｄと、を有している。側板部１０９ａは、インクパック８１を覆う大きさを有している。側板部１０９ｂは、側板部１０９ａのＺ軸方向における一端側に設けられている。側板部１０９ｂは、側板部１０９ａからＸ軸方向に突出している。側板部１０９ｃは、側板部１０９ａのＺ軸方向における他端側に設けられている。側板部１０９ｃは、側板部１０９ａからＸ軸方向に突出している。側板部１０９ｄは、側板部１０９ａのＹ軸方向における一端側に設けられている。側板部１０９ｄは、側板部１０９ａからＸ軸方向に突出している。  
【００５２】
側板部１０９ａから側板部１０９ｂが突出する向きは、カートリッジ５１の状態においてインクパック８１側となる。同様に、側板部１０９ａから側板部１０９ｃが突出する向きは、カートリッジ５１の状態においてインクパック８１側となる。側板部１０９ａから側板部１０９ｄが突出する向きも、カートリッジ５１の状態においてインクパック８１側となる。側板部１０９ｂと側板部１０９ｃとは、側板部１０９ａを挟んで互いに対面している。また、側板部１０９ｄは、側板部１０９ｂ及び側板部１０９ｃのそれぞれに対して交差している。なお、側板部１０９ａの側板部１０９ｄ側とは反対側の他端には、開口部１１１ｂが設けられている。  上記の構成により、第２ケース７１ｂは、凹状の形態を呈している。  
【００５３】
第１ケース７１ａと第２ケース７１ｂとをケース７１として組み合わせると、側板部１０７ｂと側板部１０９ｂとが互いに突き合わされ、側板部１０７ｃと側板部１０９ｃとが互いに突き合わされ、側板部１０７ｄと側板部１０９ｄとが互いに突き合わされる。このため、ケース７１においては、側板部１０７ａと側板部１０９ａとの間に空間が形成される。側板部１０７ａと側板部１０９ａとの間に形成される空間にインクパック８１が収容される。なお、ケース７１の状態において、開口部１１１ａと開口部１１１ｂとによって、図１１に示すようにケース７１の開口部１１１が形成される。開口部１１１は、インクパック８１が収容される空間に通じる。インクパック８１は、開口部１１１からケース７１内に収容される。  
【００５４】
本実施形態では、第１ケース７１ａは、図９に示すように、複数の土手部１１５と、複数のリブ１１７と、を有している。複数の土手部１１５及び複数のリブ１１７は、それぞれ、側板部１０７ａからＸ軸方向に突出している。側板部１０７ａから複数の土手部１１５及び複数のリブ１１７が突出する向きは、カートリッジ５１の状態においてインクパック８１側となる。複数の土手部１１５及び複数のリブ１１７が側板部１０７ａから突出する突出量は、側板部１０７ｂ及び側板部１０７ｃが側板部１０７ａから突出する突出量よりも小さい。つまり、複数の土手部１１５及び複数のリブ１１７の高さは、側板部１０７ｂ及び側板部１０７ｃよりも低い。  
【００５５】
また、第２ケース７１ｂは、図１０に示すように、複数の土手部１２１と、複数のリブ１２３と、を有している。複数の土手部１２１及び複数のリブ１２３は、それぞれ、側板部１０９ａからＸ軸方向に突出している。側板部１０９ａから複数の土手部１２１及び複数のリブ１２３が突出する向きは、カートリッジ５１の状態においてインクパック８１側となる。複数の土手部１２１及び複数のリブ１２３が側板部１０９ａから突出する突出量は、側板部１０９ｂ及び側板部１０９ｃが側板部１０９ａから突出する突出量よりも小さい。つまり、複数の土手部１２１及び複数のリブ１２３の高さは、側板部１０９ｂ及び側板部１０９ｃよりも低い。  
【００５６】
本実施形態では、第１ケース７１ａは、図１２に示すように、４つの土手部１１５と、４つのリブ１１７と、を有している。以下において、４つの土手部１１５のそれぞれを識別する場合に、４つの土手部１１５は、それぞれ、土手部１１５ａ、土手部１１５ｂ、土手部１１５ｃ、及び土手部１１５ｄと表記される。また、４つのリブ１１７のそれぞれを識別する場合に、４つのリブ１１７は、それぞれ、リブ１１７ａ、リブ１１７ｂ、リブ１１７ｃ、及びリブ１１７ｄと表記される。  第１ケース７１ａは、土手部１１５ａと側板部１０７ｂとの間に、隔壁１２５を有している。隔壁１２５は、側板部１０７ａからインクパック８１側に向かって突出している。隔壁１２５は、土手部１１５ａと側板部１０７ｂとの間において、Ｙ軸方向に延在している。第１ケース７１ａには、側板部１０７ｂと隔壁１２５との間に、第１溝１２７が設けられている。第１溝１２７は、側板部１０７ｂと隔壁１２５との間において、Ｙ軸方向に延在している。隔壁１２５には、開口部１１１ａの端部側に、側板部１０７ｄから遠ざかるにつれて側板部１０７ｃに近づく向きに傾斜した傾斜面１２９が設けられている。第１溝１２７と隔壁１２５とによって、土手部１１
５ａ、土手部１１５ｂ及び土手部１１５ｄは、側板部１０７ｂから隔てられている。  
【００５７】
土手部１１５ａは、隔壁１２５に沿ってＹ軸方向に延在している。土手部１１５ａは、隔壁１２５の側板部１０７ｃ側において、側板部１０７ａと隔壁１２５とが交差する角部に設けられている。土手部１１５ａは、側板部１０７ａに対して傾斜している。土手部１１５ａの傾斜は、隔壁１２５から側板部１０７ｃ側に向かうにつれて側板部１０７ａに近づく向きに傾斜している。  土手部１１５ｂは、開口部１１１ａに沿ってＺ軸方向に延在している。土手部１１５ｂは、開口部１１１ａの側板部１０７ｄ側に設けられている。土手部１１５ｂは、側板部１０７ａに対して傾斜している。土手部１１５ｂの傾斜は、開口部１１１ａから側板部１０７ｄ側に向かうにつれて側板部１０７ａに近づく向きに傾斜している。  
【００５８】
土手部１１５ｃは、側板部１０７ｃに沿ってＹ軸方向に延在している。土手部１１５ｃは、側板部１０７ｃの側板部１０７ｂ側において、側板部１０７ａと側板部１０７ｃとが交差する角部に設けられている。土手部１１５ｃは、側板部１０７ａに対して傾斜している。土手部１１５ｃの傾斜は、側板部１０７ｃから側板部１０７ｂ側に向かうにつれて側板部１０７ａに近づく向きに傾斜している。土手部１１５ａと土手部１１５ｃとは、Ｚ軸方向に隙間を有した状態で互いに対峙する位置に設けられている。  土手部１１５ｄは、側板部１０７ｄに沿ってＺ軸方向に延在している。土手部１１５ｄは、側板部１０７ｄの開口部１１１ａ側に設けられている。土手部１１５ｄは、側板部１０７ａに対して傾斜している。土手部１１５ｄの傾斜は、側板部１０７ｄ側から開口部１１１ａ側に向かうにつれて側板部１０７ａに近づく向きに傾斜している。土手部１１５ｂと土手部１１５ｄとは、Ｙ軸方向に隙間を有した状態で互いに対峙する位置に設けられている。  上記の構成により、第１ケース７１ａには、側板部１０７ａと、土手部１１５ａと、土手部１１５ｂと、土手部１１５ｃと、土手部１１５ｄとによって囲まれた領域に凹状の空間が形成される。上記のように、側板部１０７ａから部分的に突出する複数の土手部１１５によれば、第１ケース７１ａにおける凹状の空間を広げやすくすることができる。  
【００５９】
４つのリブ１１７は、側板部１０７ｄと土手部１１５ｄとの間に設けられている。４つのリブ１１７は、土手部１１５ｄの側板部１０７ｄ側において、側板部１０７ａと土手部１１５ｄとが交差する角部に設けられている。４つのリブ１１７は、それぞれ、土手部１１５ｄからＹ軸方向に沿って、側板部１０７ｄに向かって延在している。４つのリブ１１７と側板部１０７ｄとの間には隙間が設けられている。４つのリブ１１７は、Ｚ軸方向に沿って並んでいる。４つのリブ１１７は、それぞれ、図９に示すように、側板部１０７ａからの突出量が、土手部１１５ｄの突出量と同じに設定されている。４つのリブ１１７は、それぞれ、側板部１０７ｄ側の端部に円弧状の面取りが施されている。  
【００６０】
第２ケース７１ｂは、図１３に示すように、４つの土手部１２１と、２つのリブ１２３と、を有している。以下において、４つの土手部１２１のそれぞれを識別する場合に、４つの土手部１２１は、それぞれ、土手部１２１ａ、土手部１２１ｂ、土手部１２１ｃ、及び土手部１２１ｄと表記される。また、２つのリブ１２３のそれぞれを識別する場合に、２つのリブ１２３は、それぞれ、リブ１２３ａ、及びリブ１２３ｂと表記される。  第２ケース７１ｂは、土手部１２１ａと側板部１０９ｃとの間に、隔壁１３１を有している。隔壁１３１は、側板部１０９ａからインクパック８１側に向かって突出している。隔壁１３１は、土手部１２１ａと側板部１０９ｃとの間において、Ｙ軸方向に延在している。第２ケース７１ｂには、側板部１０９ｃと隔壁１３１との間に、第２溝１３３が設けられている。第２溝１３３は、側板部１０９ｃと隔壁１３１との間において、Ｙ軸方向に延在している。隔壁１３１には、開口部１１１ｂの端部側に、側板部１０９ｄから遠ざかるにつれて側板部１０９ｂに近づく向きに傾斜した傾斜面１３５が設けられている。第２溝１３３と隔壁１３１とによって、土手部１２１ａ、土手部１２１ｂ及び土手部１２１ｄは、側板部１０９ｃから隔てられている。  
【００６１】
土手部１２１ａは、隔壁１３１に沿ってＹ軸方向に延在している。土手部１２１ａは、隔壁１３１の側板部１０９ｂ側において、側板部１０９ａと隔壁１３１とが交差する角部に設けられている。土手部１２１ａは、側板部１０９ａに対して傾斜している。土手部１２１ａの傾斜は、隔壁１３１から側板部１０９ｂ側に向かうにつれて側板部１０９ａに近づく向きに傾斜している。  土手部１２１ｂは、開口部１１１ｂに沿ってＺ軸方向に延在している。土手部１２１ｂは、開口部１１１ｂの側板部１０９ｄ側に設けられている。土手部１２１ｂは、側板部１０９ａに対して傾斜している。土手部１２１ｂの傾斜は、開口部１１１ｂから側板部１０９ｄ側に向かうにつれて側板部１０９ａに近づく向きに傾斜している。  
【００６２】
土手部１２１ｃは、側板部１０９ｂに沿ってＹ軸方向に延在している。土手部１２１ｃは、側板部１０９ｂの側板部１０９ｃ側において、側板部１０９ａと側板部１０９ｂとが交差する角部に設けられている。土手部１２１ｃは、側板部１０９ａに対して傾斜している。土手部１２１ｃの傾斜は、側板部１０９ｂから側板部１０９ｃ側に向かうにつれて側板部１０９ａに近づく向きに傾斜している。土手部１２１ａと土手部１２１ｃとは、Ｚ軸方向に隙間を有した状態で互いに対峙する位置に設けられている。  土手部１２１ｄは、側板部１０９ｄに沿ってＺ軸方向に延在している。土手部１２１ｄは、側板部１０９ｄの開口部１１１ｂ側に設けられている。土手部１２１ｄは、側板部１０９ａに対して傾斜している。土手部１２１ｄの傾斜は、側板部１０９ｄ側から開口部１１１ｂ側に向かうにつれて側板部１０９ａに近づく向きに傾斜している。土手部１２１ｂと土手部１２１ｄとは、Ｙ軸方向に隙間を有した状態で互いに対峙する位置に設けられている。  上記の構成により、第２ケース７１ｂには、側板部１０９ａと、土手部１２１ａと、土手部１２１ｂと、土手部１２１ｃと、土手部１２１ｄとによって囲まれた領域に凹状の空間が形成される。上記のように、側板部１０９ａから部分的に突出する複数の土手部１２１によれば、第２ケース７１ｂにおける凹状の空間を広げやすくすることができる。  
【００６３】
２つのリブ１２３は、側板部１０９ｄと土手部１２１ｄとの間に設けられている。２つのリブ１２３は、土手部１２１ｄの側板部１０９ｄ側において、側板部１０９ａと土手部１２１ｄとが交差する角部に設けられている。２つのリブ１２３は、それぞれ、土手部１２１ｄからＹ軸方向に沿って、側板部１０９ｄに向かって延在している。２つのリブ１２３と側板部１０９ｄとの間には隙間が設けられている。２つのリブ１２３は、Ｚ軸方向に沿って並んでいる。２つのリブ１２３は、それぞれ、図１０に示すように、側板部１０９ａからの突出量が、土手部１２１ｄの突出量と同じに設定されている。２つのリブ１２３は、それぞれ、側板部１０９ｄ側の端部に円弧状の面取りが施されている。  
【００６４】
インクパック８１は、図３中のＣ−Ｃ線における断面図である図１４に示すように、ケース７１内に収容されている。本実施形態では、ケース７１内において、インクパック８１の端部８５ｂが第１溝１２７内に挿入されている。端部８５ｂは、インクパック８１から折り曲げられた状態で第１溝１２７内に挿入されている。また、ケース７１内において、インクパック８１の端部８５ｃが第２溝１３３内に挿入されている。端部８５ｃは、インクパック８１から折り曲げられた状態で第２溝１３３内に挿入されている。ケース７１内で、端部８５ｂと端部８５ｃとは、互いに反対向きに折り曲げられている。このため、図１４において、インクパック８１は、Ｓ字状を呈している。端部８５ｂが第１溝１２７内に挿入され、端部８５ｃが第２溝１３３内に挿入されることによって、インクパック８１の姿勢がケース７１内で保持されている。  
【００６５】
また、本実施形態では、前述したように、第１ケース７１ａに複数の土手部１１５が設けられ、第２ケース７１ｂに複数の土手部１２１が設けられている。インクパック８１は、図１４に示すように、ケース７１内において、Ｙ軸方向に土手部１１５ａ及び土手部１２１ａによって挟まれている。また、インクパック８１は、ケース７１内において、Ｙ軸方向に土手部１１５ｃ及び土手部１２１ｃによって挟まれている。  また、インクパック８１は、図３中のＤ−Ｄ線における断面図である図１５に示すように、ケース７１内において、Ｘ軸方向に土手部１１５ｂ及び土手部１２１ｂによって挟まれている。また、インクパック８１は、ケース７１内において、Ｘ軸方向に土手部１１５ｄ及び土手部１２１ｄによって挟まれている。  
【００６６】
このように、本実施形態では、インクパック８１は、複数の土手部１１５と複数の土手部１２１とによって挟まれている。他の観点では、インクパック８１は、複数の土手部１１５と複数の土手部１２１とによって囲まれているともみなされ得る。このため、ケース７１内において、インクパック８１の姿勢が一層保持されやすい。これにより、インクパック８１の姿勢が複数の土手部１１５と複数の土手部１２１とによって保持されるので、例えば、ケース７１に衝撃が加わったときになどに、ケース７１内でインクパック８１に損傷が発生することを避けやすい。  なお、ケース７１内において、インクパック８１の端部８５ａは、Ｘ軸方向にリブ１１７とリブ１２３との間に位置している。  
【００６７】
ここで、本実施形態では、図１４に示すように、ケース７１において、隔壁１２５と土手部１２１ｃとの間の隙間量Ｃ１が、隔壁１３１と土手部１１５ｃとの間の隙間量Ｃ２よりも広い。本実施形態では、側板部１０９ａからの土手部１２１ｃの突出量を、側板部１０７ａからの土手部１１５ｃの突出量よりも小さくすることによって、隙間量Ｃ１が隙間量Ｃ２よりも広くなっている。つまり、本実施形態では、側板部１０９ａのケース７１内側の面である内壁１４１から土手部１２１ｃの面１４３までの距離が、側板部１０７ａのケース７１内側の面である内壁１４５から土手部１１５ｃの面１４７までの距離よりも小さい。面１４３は、隔壁１２５側に向いている面であり、第１溝１２７に対面している。また、面１４７は、隔壁１３１に向いている面であり、第２溝１３３に対面している。  
【００６８】
インクが消費されると、インクパック８１は、図１６に示すように、インクパック８１の端部８５ｂ側から袋状の部位がつぶれていく。つまり、インクが消費されると、インクパック８１は、袋状の膨らみが収縮し、端部８５ｂ側からシート８１ａとシート８１ｂとが互いに近づいていく。そして、インクパック８１は、シート８１ａとシート８１ｂとが互いに近づいていくにつれて、Ｚ軸方向に伸びていく。このとき、インクパック８１は、端部８５ｂ側に向かって伸びていく。このため、端部８５ｂは、インクパック８１の伸びによって、第１溝１２７内に進入していく。  
【００６９】
さらにインクが消費されると、図１７に示すように、シート８１ａとシート８１ｂとが一層近づき、袋状の部位が一層つぶれていく。このとき、端部８５ｂは、インクパック８１の伸びによって、第１溝１２７内に一層進入していく。また、端部８５ｃは、インクパック８１の伸びによって、第２溝１３３内に進入していく。このため、インクが消費されてインクパック８１がつぶれていく過程で、インクパック８１の伸びが阻害されることを避けやすくすることができる。これにより、インクが消費されてインクパック８１がつぶれていく過程で、インクパック８１にしわが発生することを避けやすい。この結果、インクパック８１内にインクを残留させにくくすることができる。よって、このカートリッジ５１では、インクの利用効率を高めやすくすることができる。  
【００７０】
さらに、本実施形態では、シート８１ａとシート８１ｂとが互いに近づき始める端部８５ｂ側の隙間量Ｃ１が、隙間量Ｃ２よりも広い。このため、端部８５ｂ側に向かって伸びるインクパック８１の伸びが土手部１２１ｃによって阻害されにくい。これにより、インクが消費されてインクパック８１がつぶれていく過程で、端部８５ｂが第１溝１２７内に進入しやすい。この結果、インクが消費されてインクパック８１がつぶれていく過程で、インクパック８１にしわが発生することを一層避けやすい。この結果、インクパック８１内にインクを一層残留させにくくすることができる。よって、このカートリッジ５１では、インクの利用効率を一層高めやすくすることができる。  
【００７１】
また、本実施形態では、図１５に示すように、端部８５ａに対向する位置に複数のリブ１１７と、複数のリブ１２３とが設けられている。  インクが消費されてインクパック８１がつぶれていく過程で、インクパック８１は、Ｙ軸方向に、端部８５ａが蓋７３から遠ざかる向きに伸びていく。このため、端部８５ａは、インクパック８１の伸びによって、複数のリブ１１７と複数のリブ１２３との間を、蓋７３側とは反対側（ケース７１の奥側）に向かって進入していく。このとき、端部８５ａは、複数のリブ１１７や複数のリブ１２３によって、Ｘ軸方向への曲がりが規制される。このため、インクが消費されてインクパック８１がつぶれていく過程で、インクパック８１の伸びが阻害されることを避けやすくすることができる。これにより、インクが消費されてインクパック８１がつぶれていく過程で、インクパック８１にしわが発生することを抑えやすい。この結果、インクパック８１内にインクを残留させにくくすることができる。よって、このカートリッジ５１では、インクの利用効率を高めやすくすることができる。  
【００７２】
また、本実施形態では、複数のリブ１１７と複数のリブ１２３との間に、端部８５ａの厚みよりも大きい隙間が設けられているので、端部８５ａが複数のリブ１１７と複数のリブ１２３とによって拘束されない。このため、インクの消費にともなってインクパック８１の膨らみが収縮してインクパック８１が延伸したときに、インクパック８１の延伸が阻害されない。これにより、インクが消費されてインクパック８１がつぶれていく過程で、インクパック８１にしわが発生することを一層抑えやすい。  また、本実施形態では、複数のリブ１１７と複数のリブ１２３とが、それぞれ、端部８５ａよりもＹ軸方向に外側に延びている。これにより、インクが消費されてインクパック８１が延伸していく過程で、インクパック８１の延伸にわたって端部８５ａの曲がりを規制することができる。  
【００７３】
また、本実施形態では、第２ケース７１ｂの２つのリブ１２３（図１３）が、第１ケース７１ａの４つのリブ１１７（図１２）のうちの２つのリブ１１７に、それぞれ対面している。本実施形態では、第２ケース７１ｂのリブ１２３ａが第１ケース７１ａのリブ１１７ａに対面し、第２ケース７１ｂのリブ１２３ｂが第１ケース７１ａのリブ１１７ｂに対面している。これにより、２つのリブ１２３と２つのリブ１１７とが、端部８５ａを挟んで互いに対面するので、端部８５ａを、第１ケース７１ａ側と第２ケース７１ｂ側との両側から均等に規制することができる。  また、本実施形態では、複数のリブ１１７が土手部１１５ｄにつながっており、複数のリブ１２３が土手部１２１ｄにつながっている。このため、土手部１１５ｄ及び土手部１２１ｄでインクパック８１の姿勢を保持しながら、複数のリブ１１７や複数のリブ１２３で端部８５ａの曲がりを規制することができる。  
【００７４】
また、本実施形態では、図１３中のＥ−Ｅ線における断面図である図１８に示すように、土手部１２１ｄの少なくとも一部が、第２ケース７１ｂの外側から内側に向かって凹となる凹部１５１によって構成されている。凹部１５１は、第２ケース７１ｂの内側において、側板部１０９ａからＸ軸方向に突出する土手部１２１ｄと同じ向きに凸となる。これにより、第２ケース７１ｂの内側において、凹部１５１で土手部１２１ｄの少なくとも一部を構成することができる。さらに、この凹部１５１は、ケース７１を手で把持するときの取っ手部７７としても利用され得る。  
【００７５】
本実施形態において、カートリッジ５１が液体収容容器に対応し、インクパック８１が収容袋に対応し、端部８５ｂが第１縁部に対応し、端部８５ｃが第２縁部に対応し、端部８５ａが第３縁部に対応している。また、面１４３が第１面に対応し、面１４７が第２面に対応し、側板部１０９ａの内壁１４１が第１内壁に対応し、土手部１２１ｃが第１突出部に対応し、側板部１０７ａの内壁１４５が第２内壁に対応している。また、土手部１１５ｃが第２突出部に対応し、複数のリブ１１７及び複数のリブ１２３のそれぞれが規制部材に対応している。  なお、本実施形態では、図１４に示すように、端部８５ａと端部８５ｂとが互いに反対向きに折り曲げられているが、端部８５ａと端部８５ｂとの屈曲の向きは、これに限定されず、互いに同じ向きでもよい。  
【００７６】
また、本実施形態では、図１９（ａ）に示すように、土手部１２１ｃが内壁１４１から第１溝１２７に向かって突出する方向であるＸ軸方向とは交差するＺ軸方向において、距離Ｋ１と距離Ｋ２とが互いに同等の長さに設定されている。距離Ｋ１は、土手部１２１ｃから第２溝１３３の土手部１２１ｃ側の端部までのＺ軸方向に沿った距離である。また、距離Ｋ２は、土手部１１５ｃから第１溝１２７の土手部１１５ｃ側の端部までのＺ軸方向に沿った距離である。しかしながら、距離Ｋ１と距離Ｋ２との関係は、これに限定されない。距離Ｋ１及び距離Ｋ２としては、図１９（ｂ）に示すように、例えば、距離Ｋ１を距離Ｋ２よりも長くした構成も採用され得る。この構成によれば、Ｚ軸方向における面１４３の第１溝１２７からの土手部１２１ａ側へのはみ出し量を、Ｚ軸方向における面１４７の第２溝１３３からの土手部１１５ａ側へのはみ出し量よりも小さくすることができる。  
【００７７】
これにより、インクパック８１と土手部１２１ｃとの間の隙間を、インクパック８１と土手部１１５ｃとの間の隙間よりも広くすることができる。このため、土手部１２１ｃをインクパック８１から遠ざけやすいので、土手部１２１ｃとインクパック８１との間の干渉を避けやすい。この結果、インクが消費されてインクパック８１がつぶれていく過程で、端部８５ｂが第１溝１２７内に一層進入しやすい。この結果、インクが消費されてインクパック８１がつぶれていく過程で、インクパック８１にしわが発生することを一層避けやすい。この結果、インクパック８１内にインクを一層残留させにくくすることができる。よって、このカートリッジ５１では、インクの利用効率を一層高めやすくすることができる。  
【００７８】
また、本実施形態では、イエロー、マゼンタ、シアン及びブラックの４種類のインクを用いた場合を例に説明したが、これに限定されず、これにライトシアン及びライトマゼンタを加えた６種類等、任意の種類のインクを用いた構成とすることができる。  また、記録媒体は記録媒体Ｐに限らず、インク滴が付着してドットを形成できるものであれば、任意の記録媒体を適用することができる。  また、液体は、インクに限定されない。液体としては、例えば、液晶表示装置に用いられるカラーフィルターや配向膜を構成する材料を含有する液状体、有機ＥＬ（Electro Luminescence）装置の種々の機能膜を構成する材料を含有する液状体など、種々の液状体も採用され得る。
【符号の説明】
【００７９】
１…インクジェット記録装置、９…インク供給部、１１…制御部、１７…キャリジ、１９…記録ヘッド、５１…カートリッジ、５３…ホルダー、５５…ポンプユニット、６１…インク供給チューブ、７１…ケース、７１ａ…第１ケース、７１ｂ…第２ケース、７３…蓋、７５…基板、７７…取っ手部、７９…レール部、８１…インクパック、８１ａ，８１ｂ…シート、８３…流路ユニット、８５…周縁領域、８５ａ，８５ｂ，８５ｃ…端部、８７…供給管、８９…封止フィルム、９１…開口部、９３…凹部、９５…爪、９７ａ…第１内壁、９７ｂ…第２内壁、９９，９９ａ，９９b，９９c，９９ｄ…フック、１０１，１０１ａ，１０１ｂ，１０１ｃ，１０１ｄ…固定爪、１０３…外壁、１０７ａ，１０７ｂ，１０７ｃ，１０７ｄ…側板部、１０９ａ，１０９ｂ，１０９ｃ，１０９ｄ…側板部、１１１ａ，１１１ｂ…開口部、１１５，１１５ａ，１１５ｂ，１１５ｃ，１１５ｄ…土手部、１１７，１１７ａ，１１７ｂ，１１７ｃ，１１７ｄ…リブ、１２１，１２１ａ，１２１ｂ，１２１ｃ，１２１ｄ…土手部、１２３，１２３ａ，１２３ｂ…リブ、１２５…隔壁、１２７…第１溝、１２９…傾斜面、１３１…隔壁、１３３…第２溝、１３５…傾斜面、１４１…内壁、１４３…面、１４５…内壁、１４７…面、１５１…凹部、Ｃ１，Ｃ２…隙間量、Ｋ１，Ｋ２…距離。
【図１】
2014083758.tif 000003
【図２】
2014083758.tif 000004
【図３】
2014083758.tif 000005
【図４】
2014083758.tif 000006
【図５】
2014083758.tif 000007
【図６】
2014083758.tif 000008
【図７】
2014083758.tif 000009
【図８】
2014083758.tif 000010
【図９】
2014083758.tif 000011
【図１０】
2014083758.tif 000012
【図１１】
2014083758.tif 000013
【図１２】
2014083758.tif 000014
【図１３】
2014083758.tif 000015
【図１４】
2014083758.tif 000016
【図１５】
2014083758.tif 000017
【図１６】
2014083758.tif 000018
【図１７】
2014083758.tif 000019
【図１８】
2014083758.tif 000020
【図１９】
2014083758.tif 000021